(57)【特許請求の範囲】
【請求項１】
多数枚のカードを積載収容するカード収容部と、該カード収容部内に積載収容された多数枚のカードを、往復走行するスライドを介しその最下面から一枚ずつカード払出口に連通するカード搬送路へ押し出すカード分離搬送手段とを具えたカード払出し装置において、
前記カード収容部の下部に形成され、前記スライドにより押し出されたカードを排出するカード排出口であって、上下幅が少なくとも排出されるカードの板厚２枚分以上に設定されたカード排出口と、
該カード排出口に隣接し、前記スライドを介し搬送されたカードを前記カード搬送路の下面に押し付けるカード姿勢矯正ローラと、
該カード姿勢矯正ローラよりも下流の前記カード搬送路に配設され、該カード搬送路の上下幅を、カード一枚分の厚みよりも厚くかつカード２枚分の厚みよりも薄い厚さに規制する上下幅規制部材と、
カード払出時に前記カード搬送路を拡開し、カード非払出時に前記カード搬送路を閉塞するとともに、同時に前記スライドを介し前記カード排出口からダブルフィードされた複数枚のカードを前記カード収容部内へ押し戻すシャッター手段と
からなることを特徴とするカード払出し装置。
【請求項２】
前記カード姿勢矯正ローラと前記上下幅規制部材は、搬送されるカード幅よりも狭い間隔を設け前記カード搬送路の幅方向に沿いそれぞれ一対づつ配設されており、また該一対のカード姿勢矯正ローラはそれぞれ独立に懸架され、かつ付勢手段を介し前記カード搬送路の下面側に常時付勢されていることを特徴とする請求項(1）記載のカード払出し装置。
【請求項３】
前記上下幅規制部材はシックネススクリューであることを特徴とする請求項(1）記載のカード払出し装置。
【請求項４】
前記シャッター手段は、
一端が軸を中心に回動自在に支承され他端が前記カード搬送路内に出没するＬ字形状のレバーと、
該レバーを常時前記カード搬送路を拡開する方向へ回動させる付勢手段と、
前記スライドの往路走行によるカード払出時に前記付勢手段を介し前記レバーを前記軸を中心に一方向へ回転させて前記カード搬送路を拡開し、前記スライドの復路走行の際に、該スライドと当接して前記レバーを前記付勢手段の付勢力に抗して前記軸を中心に他方向へ回動させて前記カード搬送路を閉塞するリンク手段と
からなることを特徴とする請求項(1）記載のカード払出し装置。
【発明の詳細な説明】
【０００１】
【発明の属する技術分野】
この発明はテレホンカード、あるいはオレンジカード等の比較的板厚が薄いカードを複数枚積載収容し、その積載収容した複数枚のカードをその最下面から一枚ずつ払い出すようにしたカード払出し装置に関する。
【０００２】
【従来の技術】
従来より、テレホンカード等を販売するカード自動販売機の機器筐体内には、投入金額に応じたカードを払い出すカード払出し装置が設置されている。
【０００３】
このカード払出し装置は大別して、多数枚のカードを積載収容するカード収容部と、このカード収容部に積載された多数枚のカードのうち、その最下面にあるカードを一枚ずつ押し出すカード払出部とから構成されている。
【０００４】
このようなカード払出し装置のカード払出部内には、カード収容部に積載収容された多数枚のカードのうち、その最下面にある一枚のカードと当接して当該カードを押し出す往復走行可能なスライドを有し、このスライドの押しだし力によりカード収容部内からカードを一枚ずつ押し出してカード払出口から払出すようにしている。
【０００５】
ところで、カード収容部内に積載収容されるカードの中には姿勢が変形したカードも含まれることもあり、このような変形カードとスライドとの当接を確保し、かつ確実に一枚づづ払い出すため、本願出願人が先に提案した特開昭６３−８２２４６号のように、カード収容部内に配設されたカード押さえバネの付勢力を強く設定し、その付勢力で変形カード（とくに幅方向に変形したカード）の姿勢矯正を行うとともに、カード収容部に形成されたカード排出口の上下幅をカード板厚の約１枚分よりも大きくかつ２枚分よりも小さい値に設定し、そのカード排出口からスライドにより強制的にカードを排出させることにより、変形カードを含めたカードの確実な分離払い出しと、排出されるカードのダブルフィードとを防止するようにしていた。
【０００６】
【発明が解決しようとする課題】
ところで上述した従来のカード払出し装置によると、変形カードの姿勢を矯正するため、カード収容部内に積載収容された多数枚のカードを押し付けるカード押さえバネの付勢力を強く設定しているから、カードを払い出す際に積層された各カード間に作用する摩擦力が大きく、このため隣接するカード間に擦り傷等の損傷を与える虞があり、またカード押さえバネの付勢力により互いに強い力でカード間が密着しているから、カードを分離搬送させる際のスライドの走行負荷も大きく、このためカードの払出速度も遅くなる虞がある。
【０００７】
なお、カード押さえバネの付勢力を弱く設定すると、積層された互いのカードに作用する摩擦力が小さくなるから、分離搬送する際に、擦り傷等の損傷が発生する虞が低下し、かつスライドの走行負荷も小さくなるから、カードの払出速度の向上も図ることができるが、そうすると、カード押さえバネによる変形カードの姿勢矯正力が弱まるので、上下幅をカード板厚の約１枚分よりも大きく各２枚分よりも小さい値に設定したカード排出口に変形カード（特に幅方向に変形したカード）が衝突してカード詰りを発生させやすく、このため変形カードを含めたカードの分離払出し作業を安定して行うことができなくなる難点が生ずる。
【０００８】
この発明は上述した事情に鑑み、変形カードを含めカードに損傷をあたえることなく、しかも迅速かつ安定して一枚ずつ分離して払い出すことができるカード払出装置を提供することを目的とする。
【０００９】
【課題を解決するための手段】
上述した課題を解決するため、この発明では、多数枚のカードを積載収容するカード収容部と、該カード収容部内に積載収容された多数枚のカードを、往復走行するスライドを介しその最下面から一枚ずつカード払出口に連通するカード搬送路へ押し出すカード分離搬送手段とを具えたカード払出し装置において、前記カード収容部の下部に形成され、前記スライドにより押し出されたカードを排出するカード排出口であって、上下幅が少なくとも排出されるカードの板厚２枚分以上に設定されたカード排出口と、該カード排出口に隣接し、前記スライドを介し搬送されたカードを前記カード搬送路の下面に押し付けるカード姿勢矯正ローラと、該カード姿勢矯正ローラよりも下流の前記カード搬送路に配設され、該カード搬送路の上下幅を、カード一枚分の厚みよりも厚くかつカード２枚分の厚みよりも薄い厚さに規制する上下幅規制部材と、カード払出時に前記カード搬送路を拡開し、カード非払出時に前記カード搬送路を閉塞するとともに、同時に前記スライドを介し前記カード排出口からダブルフィードされた複数枚のカードを前記カード収容部内へ押し戻すシャッター手段とを具えている。
【００１０】
【発明の実施の形態】
以下この発明に係わるカード払出し装置を図面に基づいて詳述する。
【００１１】
図１はこの発明に係わるカード払出し装置１の側面図である。
【００１２】
このカード払出し装置１は、大別して複数枚のカードを積載収容するカード収容部２と、このカード収容部２に積載収容されたカードを一枚ずつ払い出すカード払出部３とから構成されている。
【００１３】
このうち、カード収容部２はカード払出部３内に位置決め装着されたカセットベース４と、このカセットベース４の上面にネジ５等の締着手段により締着されたカセットボックス６とから構成され、このカセットボックス６の正面に形成されたカード挿入口７はカセットドア８により開閉自在に覆われている。
【００１４】
この、カセットベース４の両側面には図１およびカード払出し装置１の正面図で示す図２のように、一対のラッチレバー９が装着されており、このラッチレバー９を一方向へ回動させることによりカード収容部２はカード払出部３に対し着脱自在な構成となっている。なお、図２で符号８´はカセットボックス６内に収容されるカードの枚数を表示する表示板である。
【００１５】
即ち、図１で示すカード払出部３に対するカード収容部２の装着状態から、一対のラッチレバー９を軸４ａを中心に矢印の如く反時計方向へ回転させると、カード払出部３とカセットベース４との間のラッチが解除されるので、カード収容部２全体を上方へ引き上げれば、図３で示すようにカード収容部２のみをカード払出部３から取り外すことが可能である。
【００１６】
一方、図３で示すように、ラッチレバー９はカセットベース４の側方に突出形成された軸４ａに回動自在に支承され、その先端部９ａにはカード払出部３の内部に突設された突起３ａと係合する係合爪９ｂが形成されている。
【００１７】
また、軸４ａに嵌挿するラッチレバー９の軸受孔９ｃ近傍には一体に略Ｕ字形状のバネ体９ｄが形成され、その自由端はカセットベース４側方の対称な位置にそれぞれ形成された一対の段部４ｂ、４ｃのうちの一方の段部４ｂに係合している。したがって、ラッチレバー９はバネ体９ｄの付勢力により、軸４ａを中心に時計方向への付勢力が常時付与されている。
【００１８】
一方、ラッチレバー９に形成された係合爪９ｂの表裏面にはそれぞれ突起９ｅが形成され、この突起９ｅはカセットベース４の両側方中央部のそれぞれ左右対称な位置に形成された一対の円弧形状ガイド溝４ｄ、４ｅのうちの一方のガイド溝４ｄに係合している。
【００１９】
従って、カセットドア８側に延出されたラッチレバー９の先端９ｆを軸４ａを中心に回動させると突起９ｅがガイド溝４ｄに沿って移動し、これによりラッチレバー９の所定回転角度以上の回動が規制されている。
【００２０】
なお、図３で示すラッチレバー９の取付け位置から、当該ラッチレバー９を抜き取り、その表裏を逆にして図４で示すように再びラッチレバー９を軸４ａに嵌挿させ、今度はラッチレバー９のバネ体９ｄの自由端をカセットベース４に形成された他方の段部４ｃに係合させ、また突起９ｅを他方のガイド溝４ｅに係合させると、ラッチレバー９の先端９ｆはカセットドア８とは反対方向へ延出され、これによりカセットドア８とは反対の方向からラッチレバー９を操作することが可能となる。
【００２１】
即ち、図３で示すラッチレバー９の取付け位置では、当該ラッチレバー９の操作がカセットドア８側から可能な態様となり、また図４で示すラッチレバー９の取付け位置ではカセットドア８の反対側からラッチレバー９の操作が可能な取付態様となる。
【００２２】
つまり上述した各ラッチレバー９の取付け態様によると、カセットボックス６内にカードを補給する際にカード収容部２全体をカード払出部３（図１）から取り外す場合があるが、その際、図３で示すラッチレバー９の取付け態様によると、矢印Ａで示すカード払出方向側にあるカセットドア８側からオペレータが操作してカード収容部２をカード払出部３から取り外す場合に、その操作を容易にすることができ、また図４で示すラッチレバー９の取付け態様によると、カセットドア８の反対側からオペレータが操作してカード収容部２をカード払出部３から取り外す場合に、その操作を容易にすることができる。
【００２３】
一方、上述したカセットボックス６は図３で示すように、カセットベース４の中央部上面に突出形成された二等辺三角形状の突起４ｆを中心に位置決めされ、またカセットドア８の下端に突設された軸８ａを支承する軸受孔４ｇも前記突起４ｆを中心として左右対称な位置にそれぞれ一対形成されているため、カセットベース４に対するカセットボックス６の取付け位置を前後逆にして装着することも可能である。
【００２４】
即ち、図３で示すカセットボックス６の取付け位置から図５で示すようにネジ５を取り外した後、カセットボックス６およびカセットドア８をカセットベース４から取り外し、次に図６で示すように、カセットボックス６およびカセットドア８を前後逆にし、再びカセットベース４に取り付けると、図７で示すように矢印Ａで示すカード払出方向側とは反対の方向にカセットドア８を装着することができる。
【００２５】
即ち、図７で示すカセットボックス６、カセットドア８、およびラッチレバー９の取り付け態様によると、矢印Ａで示すカード払出方向側とは逆の方向からカセットドア８を開けてカセットボックス６内にカードを補給する作業が容易となり、また矢印Ａで示すカード払出方向側からラッチレバー９を操作してカード収容部２を取外す作業も容易となる。
【００２６】
また図７で示すラッチレバー９の取付け位置から、当該ラッチレバー９の取付け位置を図８のように表裏を逆にすると、矢印Ａで示すカード払出方向側とは逆の方向からカセットドア８を開けてカセットボックス６内にカードを補給する作業が容易となり、また矢印Ａで示すカード払出方向側とは逆の方向からラッチレバー９を操作してカード収容部２を取外す作業も容易となる。
【００２７】
次に上述したカード収容部２の内部構造を詳述する。
【００２８】
図９は上述したカード収容部２の拡大断面図で、図３と同一部分を同一符号で示す。
【００２９】
前述したように、このカード収容部２はカード払出部３（図１）内に位置決め装着されたカセットベース４と、このカセットベース４の上面に固着されたカセットボックス６と、このカセットボックス６のカード挿入口７を開閉するカセットドア８とから構成されている。そして、このカセットベース４とカセットボックス６内には、補給される複数枚のカード（図示せず）をカセットベース４の底面１０に押し付ける押圧手段１１が配設されている。なお、このカセットベース４の底面１０にはカードの払出方向に沿って後述するスライドが往復走行する溝１０ａが形成されている。
【００３０】
この押圧手段１１は断面コの字形状のベースプレート１２と、このベースプレート１２とカセットボックス６の天井６ａと間に配設されたカード押さえバネであるコイルスプリング１３とから構成され、このコイルスプリング１３の付勢力により、ベースプレート１２は常時下方へ（カセットベース底面１０側へ）付勢されている。
【００３１】
一方、ベースプレート１２の上面にはカード補給時にベースプレート１２を強制的に上方へ押上げ、これによりカード挿入口７全体を拡開してカードの補給作業を容易にするベースプレート持上げ手段１４が配設されている。
【００３２】
このベースプレート持上げ手段１４は、上端のみが互いに係合するそれぞれ径の相異なった複数個（６個）の筒体１４ａ、１４ｂ、１４ｃ、１４ｄ、１４ｅ、１４ｆから構成され、そのうち最上端に位置する筒体１４ｆの上面にはキャップ１５がネジ１６により固着されている。なお、このキャップ１５の径はカセットボックス６の天井６ａに形成された筒体嵌挿孔６ｂよりも大きく設定されているので、キャップ１５がこの孔６ｂを介しカセットボックス６内に落下することはない。
【００３３】
なお、上述した複数個の筒体１４ａ、１４ｂ、１４ｃ、１４ｄ、１４ｅ、１４ｆは最下方に位置する筒体１４ａから上方に位置する筒体１４ｆへ向け、順次その径が小さく設定されている。
【００３４】
一方、最下方に設置された最大径の筒体１４ａ周面と、カセットボックス６の天井６ａに形成された筒体嵌挿孔６ｂの周面との間には両者を係合する図示せぬ係合手段が配設されている。
【００３５】
この係合手段によると、カード補給の際に、カセットドア８の上端に形成された一対の舌片８ｂ、８ｃを押し縮め、これにより当該舌片８ｂに形成された突起８ｄとカセットボックス６の舌片６ｃに形成された係合孔６ｄとの係合を解除してカセットドア８を開いた後、キャップ１５を摘み上げコイルスプリング１３の付勢力に抗してベープレート１２を上方に持ち上げると、上述した筒体１４ａ周面とカセットボックス６の孔６ｂ周面との間に介在された前記図示せぬ係合手段とが係合して筒体１４ａが筒体嵌挿孔６ｂの位置に位置決停止し、同時に図１０で示すようにベープレート１２がカセットボックス６内の上端位置に停止し、カード挿入口７全体が拡開することとなる。なお図１０で、符号１７はカセットボックス６の舌片６ｃの下方に突出した前記係合手段の係合解除レバー、符号１８はカセットボックス６の内周面であって、その幅方向両側面に配置された断面台形状の一対のボックスプレートである。なおこの一対のボックスプレート１８を着脱することにより、カセットボックス６内に幅が異なる各種サイズのカードを収納することが可能となる。
【００３６】
即ち、幅の広いカードをカセットボックス６内に収納する場合は、この一対のボックスプレート１８を取外してそのカードを補給すればよく、また幅サイズが狭いカードを収納する場合は、実施例のように、一対のボックスプレート１８をカセットボックス６内に装着すれば良い。
【００３７】
なお、図１０で示すように、図示せぬ前記係合手段とが係合して筒体１４ａが筒体嵌挿孔６ｂの位置に停止した後、キャップ１５の摘み上げ動作を解除すると、筒体１４ａを除く各筒体１４ａ、１４ｂ、１４ｃ、１４ｄ、１４ｅ、１４ｆは筒体１４ａ内に落下し、その内部に全て収納される。
【００３８】
従って、上述した実施例によると、カセットボックス６内へのカード補給作業を行う際は、ベースプレート持上げ手段１４がカセットボックス６の上方に突出せず、当該カセットボックス６の高さ方向のサイズを変化させないので、カード収容部２の自動販売機内への出し入れ作業が一層容易となる。
【００３９】
次に、図１０に示す位置から、カセットドア８をさらに拡開してカード挿入口７を大きく解放し、その後、そのカード挿入口７から図１１で示すように、複数枚のカード１９をカセットボックス６内に補充し、その後再びカセットドア８によりカード挿入口７を閉塞すると、その際カセットドア８の先端８ｅと係合解除レバー１７とが衝突して、当該係合解除レバー１７を押し込み前述した係合手段の係合を解除するので、図１２で示すように、ベースプレート１２はベースプレート持上げ手段１４を構成するコイルスプリング１３の付勢力により下方に移動し、複数枚のカード１９をその上面から押圧して、複数枚のカード１９全体をカセットベース底面１０側に押し付けることとなる。
【００４０】
なお、図１２で示すように、このカード収容部２の下部、即ちカセットベース４の左側方には、カセットボックス６内に積載収容された複数枚のカード１９を、その最下面から一枚ずつ排出するためのカード排出口２００が形成されており、特にこのカード収容部２に形成されたカード排出口２００の上下幅Ｌは少なくとも排出されるカードの板厚ｔの２枚分以上（Ｌ＞２ｔ）に設定されている。
【００４１】
次に、カード払出部３を詳述する。
【００４２】
図１３は、カード収容部２を取り除いたカード払出部３の上面図である。
【００４３】
このカード払出部３は平面矩形状の筐体２０内に収納された、カード分離搬送手段２１と、このカード分離搬送手段２１により一枚ずつ搬送されたカードを筐体２０から排出するカード排出手段２２とから構成されている。
【００４４】
なお、カード分離搬送手段２１は筐体２０の上面を覆うセンターベース２３下方に配設され、またカード排出手段２２は筐体２０の先端側を覆う出口ブラケット２４の下方にそれぞれ配設されている。
【００４５】
このカード分離搬送手段２１は、前述したカード収容部２に収容された複数枚のカード１９（図１２）のうち、その最下面に位置するカードと係合し、当該係合したカードを一枚ずつ分離搬送させるもので、その構成要素は、カードと係合するスライド２５、このスライド２５を図面の左右方向へ往復走行させるスライド駆動手段２６、スライド２５を図面の左右方向へ案内するスライド案内手段２７、走行途中でスライド２５の姿勢を変更させるスライド姿勢変更手段２８とから構成されている。
【００４６】
このうちスライド２５は、その拡大平面図で示す図１４のように焼結金属部材により形成されたスライド本体３０と、このスライド本体３０を収容するスライドホルダ３１とから構成され、このスライドホルダ３１の先端３１ａは、図１４のＢＢ断面で示す図１５のように、軸３２を介し後述するスライド駆動手段２６の一部を構成する往復スライダリンク機構３３の往復スライダ３４に回動自在に支承されている。なお、前記スライド本体３０の上面３０ａには分離搬送する後述するカードの板厚よりも若干薄い高低差を有する段差部３０ｂが形成されている。
【００４７】
一方、スライドホルダ３１を回動自在に支承する軸３２には、後述するスライド姿勢変更手段２８の一部を構成するコイルバネ３５からなる付勢手段３６が巻回され、このコイルバネ３５の一端３５ａはスライドホルダ３１に係合し、他端３５ｂは往復スライダ３４に係合している。
【００４８】
従って、上述した付勢手段３６によると図１５で示すように、コイルバネ３５の付勢力によりスライドホルダ３１は一点鎖線で示す水平姿勢から実線で示す傾斜姿勢へ常時付勢されることとなる。
【００４９】
なお、図１４で符号３１ｃは、後述するスライド姿勢変更手段２８の一部を構成するスライドホルダ３１の後端３１ｂ両側方に突出形成された一対のガイド突起で、このガイド突起３１ｃは後述するスライド姿勢変更手段２８の一部と係合しスライドホルダ３１を図１５の一点鎖線で示す、払い出すカードと平行な水平姿勢と、カードから離間する実線で示す傾斜姿勢とにその姿勢を変更させる。
【００５０】
次に上述したスライド駆動手段２６を説明する。
【００５１】
スライド駆動手段２６は図１３のＣＣ断面で示す図１６のように、第１の駆動モータ４０と、この駆動モータ４０の回転を減速して伝達する歯車伝達機構４１と、この歯車伝達機構４１の出力軸４２から伝達された回転力をスライド本体３０の左右方向への往復運動に変換する往復スライダリンク機構３３とから構成されている。
【００５２】
この往復スライダリンク機構３３は歯車伝達機構４１の出力軸４２から伝達された回転力により回転する円板４３と、この円板４３の上面外周に突設された突起４３ａと、該突起４３ａと係合するガイド溝３４ａを有する前記往復スライダ３４とから構成されている。
【００５３】
このうち、円板４３は筐体２０内を上下に画成する隔壁４４に形成された軸受孔４４ａ内に軸中心部４３ｂが回動自在に支承されており、また図１４で示すように、ガイド溝３４ａは往復スライダ３４と一体に形成されたガイドバー３４ｂ内に形成されている。
【００５４】
なおこのガイドバー３４ｂと筐体２０との間には往復スライダ３４が図１６で示す初期位置にあるか否かを検出する図示せぬ第１の検出手段が配設されており、この第１の検出手段は往復スライダ３４が図１６の初期位置にある場合は図示せぬ制御装置にＯＦＦ信号を送出し、また図１６で示す初期位置から移動するとその制御装置にＯＮ信号を送出する。
【００５５】
このような、往復スライダリンク機構３３によると、円板４３が一回転し、それに連動して突起４３ａがガイド溝３４ａに沿い一往復すると、その間に往復スライダ３４が図１６で示す初期位置から、左方向（往路方向）へ移動し、次に右方向（復路方向）へ移動して再び図１６で示す初期位置に復帰するという往復運動を行う。
【００５６】
次に、上述した駆動手段２６の往復スライダ３４を介し前記スライド２５を図面の左右方向へ案内するスライド案内手段２７を詳述する。
【００５７】
このスライド案内手段２７は図１３で示すようにセンターベース２３の中央であって、図面の左右方向に沿って形成されたローラ案内溝２３ａと、この案内溝２３ａに嵌挿してガイドされるガイドローラ４５と、図１６で示す往復スライダ３４を図面の左右方向へガイドするスライダ案内溝２３ｂとから構成され、このうちローラ案内溝２３ａとスライダ案内溝２３ｂはともにセンターベース２３に形成され、またガイドローラ４５は図１４、１５で示すように取付けネジ４６を介し平面矩形状の往復スライダ３４に回動自在に取り付けられている。
【００５８】
このようなスライド案内手段２７によると、駆動手段２６の往復スライダ３４が図１３の初期位置から図面の左方向へ移動すると、最初に往復スライダ３４はスライダ案内溝２３ｂに沿ってガイドされ、次にガイドローラ４５が嵌挿するローラ案内溝２３ａに沿って往復スライダ３４がガイドされる。
【００５９】
従って、この往復スライダ３４に搭載されたスライド２５もスライダ案内溝２３ｂおよびローラ案内溝２３ａに沿って図１３の図面左右方向へスムーズに案内され往復走行することとなる。
【００６０】
次に、スライド２５の往復走行途中でスライド本体３０の姿勢を変更させるスライド姿勢変更手段２８を詳述する。
【００６１】
図１３で示すように、スライド姿勢変更手段２８は前述したようにコイルバネ３５からなる付勢手段３６と、往復スライダ３４を挟み相対向して配設された一対のスライド姿勢切替ガイド５０、５１と、図１４で示すように、このスライド姿勢切替ガイド５０、５１に係合してガイドされる前記スライドホルダ３１の後端に突設されたガイド突起３１ｃと、図１６で示すように、筐体２０内を上下に画成する隔壁４４に固着され、スライドホルダ３１の下面に摺接する傾斜壁５２とから構成されている。
【００６２】
図１３で示すように、この一対のスライド姿勢切替ガイド５０、５１はそれぞれ断面が略Ｌ字形状のガイドレールにより形成され、このうち一方のスライド姿勢切替ガイド５０は往復スライダ３４の進行方向と平行な位置に形成された一対の軸５０ａ、５０ｂを中心に回動自在に支承されている。また他方のスライド姿勢切替ガイド５１も往復スライダ３４の進行方向と平行な位置に形成された一対の軸５１ａ、５１ｂを中心に回動自在に支承されている。
【００６３】
また各スライド姿勢切替ガイド５０、５１の一方の軸５０ａ、５１ｂには、それぞれ復帰スプリング５３、５４が嵌挿しており、この復帰スプリング５３、５４のうち、一方の復帰スプリング５３の各自由端のうち一端はセンターベース２３に係合し他端は一方のスライド姿勢切替ガイド５０と係合している。また、他方の復帰スプリング５４の各自由端のうち一端はセンターベース２３に係合し他端は他方のスライド姿勢切替ガイド５１と係合している。
【００６４】
従って、上述した一対のスライド姿勢切替ガイド５０、５１のうち、一方のスライド姿勢切替ガイド５０には復帰スプリング５３の付勢力により、一対の軸５０ａ、５０ｂを中心に常時時計方向へ回転する付勢力が作用し、また他方のスライド姿勢切替ガイド５１には復帰スプリング５４の付勢力により、一対の軸５１ａ、５１ｂを中心に常時反時計方向へ回転する付勢力が作用する。
【００６５】
一方、図１６で示すように隔壁４４に固着された傾斜壁５２には、図面の右方向、即ち、往復スライダ３４が図１６で示す初期位置へ復帰すべく右方向へ移動した際に、図１５の実線で示す傾斜姿勢のスライド本体３０を、収容されたカード面と平行な位置に（一点鎖線の位置に）すべく右肩上りの傾斜面５２ａが形成されている。
【００６６】
このような、スライド姿勢変更手段２８を構成するコイルバネ３５からなる付勢手段３６、一対のスライド姿勢切替ガイド５０、５１、ガイド突起３１ｃ、および傾斜壁５２とによると、図１３で示す往復スライダ３４の初期位置から矢印Ａで示すように当該往復スライダ３４が図面の左側（往路方向）へ移動する往路走行を開始すると、往復スライダ３４に支承されたスライドホルダ３１のガイド突起３１ｃが一対のスライド姿勢切替ガイド５０、５１上に搭載されて案内され、このためスライドホルダ３１及びスライド本体３０はカードと平行な姿勢、言い換えれば図１５の一点鎖線で示す水平姿勢を維持しつつ図１３の左側（矢印Ａ方向で示す往路方向）へ移動する。
【００６７】
そして、スライドホルダ３１のガイド突起３１ｃが一対のスライド姿勢切替ガイド５０、５１の左端から離れると、図１５の実線で示すようにコイルバネ３２の付勢力により、スライドホルダ３１は軸３２を中心に迅速に時計方向へ回転し、同時にスライド本体３０を実線で示すようにカードから離間する傾斜姿勢に変更する。
【００６８】
一方、図１３で示すように往復スライダ３４が矢印Ｄで示すように、図面の右方向（復路方向）へ移動する復路走行に移行すると、前述したようにスライドホルダ３１は図１５の実線で示す傾斜姿勢であるため、そのガイド突起３１ｃと一対のスライド姿勢切替ガイド５０、５１とは水平な位置関係にはないので互いに係合せず、そのままの傾斜姿勢を維持しつつ一対のスライド姿勢切替ガイド５０、５１の下方を通過するが、スライドホルダ３１の後端が図１６で示す傾斜壁５２の始端に至ると、その傾斜面５２ａによりスライドホルダ３１は図１５で示すコイルスプリング３５の付勢力に抗して軸３２を中心に徐々に反時計方向へ回転してその姿勢を変更し、ついに往復スライダ３４が図１６で示す初期位置に復帰するとスライドホルダ３１はカードと平行な初期姿勢に復帰する。
【００６９】
即ち上述したスライド姿勢変更手段２８によると、往復スライダ３４が左右方向への往復運動をするごとに、スライドホルダ３１およびスライド本体３０は上述した姿勢変更を繰り返し行うこととなる。
【００７０】
次にカード排出手段２２を詳述する。
【００７１】
このカード排出手段２２は図１６で示すように、第２の駆動モータ６０と、この駆動モータ６０の回転力を減速して伝達する歯車伝達機構６１と、この歯車伝達機構６１の回転力により回転する軸６２と、この軸６２に所定の間隔を設けて固着された一対の駆動ローラ６３と、このローラ６３の周面に圧接する従動ローラ６４とから構成されている。
【００７２】
なお、従動ローラ６４は図１６で示すように軸６５に回動自在に支承され、またこの軸６５はコイルバネ６６ａの弾発力により常時駆動ローラ６３側に付勢されている。なお、このコイルバネ６６ａは筐体２０の先端側を覆う出口ブラケット２４に配設された押圧プレート６７によりその抜け止めが計られ、またこの押圧プレート６７はネジ６８により出口ブラケット２４に固着されている。
【００７３】
なお、上述した駆動ローラ６３の周面には図１６で示すように摩擦係数の大きいゴム等の弾性体６３ａが巻回されており、またその巻回された弾性体の一部には大径化した突出部６３ｂが形成されているので、幅方向に反って変形したカードをカード払出口６６へ搬送する場合であっても、必ず駆動ローラ６３がカード面に密着してそのカードの確実な搬送を図っている。
【００７４】
なお、図１６で示すように、駆動ローラ６３の周面形状に従動ローラ６４が常時追従するよう、それを支承する軸６５は上下動自在に支承され、かつコイルバネ６６ａの弾発力により常時下方に押圧されている。
【００７５】
一方、図１６で示すように、カード排出手段２２とカード収容部２内に収容された複数枚のカード１９の先端側１９ａとの間には、図１２で示すカード排出口２００から複数枚のカード１９が一時に搬送されるミス、すなわちダブルフイードを防止する後述する二重搬送防止手段８０と、駆動ローラ６３と従動ローラ６４との間に形成されるカード搬送路６８を開閉するシャッター手段７０が配設されている。
【００７６】
このシャッター手段７０はカード搬送路６８内に出没する断面略Ｌ字形状のレバー７１と、このレバー７１を軸７１ａを中心に回動させ、これによりカード搬送路６８を拡開するリンク手段７２とから構成されている。
【００７７】
このうち、リンク手段７２はレバー７１の側方に形成された突起７１ｂに係合する長孔７３ａを有するリンク７３からなり、このリンク７３の後端７３ｂはスライド姿勢変更手段２８の傾斜壁後端５２ｂを越える位置に至るまで延設されている。
【００７８】
またこのリンク７３の後端７３ｂは図１６に示すスライドホルダ３１の初期位置では、当該スライドホルダ３１の後端と当接して、その付勢力により図面の右側へ移動し、これによりレバー７１を軸７１ａを中心に時計方向へ所定の角度回転させてカード搬送路６８に突出し、当該カード搬送路６８を閉塞している。
【００７９】
なお、リンク７３の後端７３ｂとスライドホルダ３１との当接が解除されると、リンク７３は隔壁４４とリンク７３の一端との間に張設された付勢手段であるコイルスプリング７４の付勢力により、図面の左側へ移動し同時にレバー７１を軸７１ａを中心に反時計に所定の角度回転させてカード搬送路６８を拡開する。
【００８０】
なお、上述したシャッター手段７０の作用は、後述するカード払出し装置１のカード払出し手順の説明と併せて詳述する。
【００８１】
次に、カードの二重搬送防止手段８０を詳述する。
【００８２】
この二重搬送防止手段８０は図１６で示すように複数枚のカード１９の先端側１９ａに隣接して配設されたカード姿勢矯正ローラ８１と、カード搬送路６８の上下幅を略搬送されるカード一枚分の厚みに制限する上下幅規制手段であるシックネススクリュー８２とから構成されている。
【００８３】
このうち、カード姿勢矯正ローラ８１は図１３で示すようにカード搬送路の幅方向に沿い所定の間隔（搬送されるカード幅よりも狭い間隔）を設け一対配設されている。
【００８４】
このカード姿勢矯正ローラ８１は図１３のＥＥ拡大概念断面図で示す図１７のように、中間部が軸８３に回動自在に支承されたローラアーム８４の一端８４ａに、軸８５を介し回動自在に支承されている。なおこのローラアーム８４の他端８４ｂはコイルバネ８６により常時上方へ付勢されているので、ローラアーム８４全体は軸８３を中心に時計方向へ付勢され、これによりカード姿勢矯正ローラ８１は常時カード搬送路６８の下面に圧接している。なお、上述したように各一対のカード姿勢矯正ローラ８１はそれぞれ独立したローラアーム８４による独立懸架方式なので幅方向等に反って変形したカードであっても、その付勢力により反りのあるカードの姿勢を効果的に矯正する。
【００８５】
即ち、図１７で示すように、複数枚のカード１９の先端側１９ａ、即ちカード排出口２００から互い作用する摩擦力等の要因によって一点鎖線で示すように複数枚のカードが一時に搬送された場合であっても、カード姿勢矯正ローラ８１はコイルバネ８６の付勢力によりカードを強制的にカード搬送路の下面に押し付けて、その搬送姿勢を矯正する。
【００８６】
なおカード姿勢矯正ローラ８１は複数枚のカードが搬送された場合は一点鎖線で示すように上方に退避する。
【００８７】
なお、図１７で符号９１は、カード搬送路６８を通過するカードの有無を検出する第２の検出手段で、この第２の検出手段９１は軸９２を中心に回動自在に支承されたカード検出レバー９３と、この検出レバー９３の下端９３ａに係合し前記レバー９１を軸９２を中心に常時時計方向へ付勢する復帰スプリング９４と、検出レバー９３の下端９３ａにより当該カード検出レバー９３が所定の回転角度回転したか否かを検出する発光および受光素子からなるセンサー９５とから構成されている。
【００８８】
上述した第２の検出手段９１によると、一枚のカード９０がカード搬送路６８内を走行し、その際、カード９０がカード検出レバー９３の先端９３ｂと当接して当該レバー９３を一点鎖線で示すように軸９２を中心に反時計方向へ回転させると、レバー９３の後端９３ａも軸９２を中心に反時計方向へ回転し、一点鎖線で示すようにセンサー９５を横切るので第２の検出手段９１は図示せぬ制御装置に対しＯＮ信号を送出しカード搬送路６８上のカード検出レバー９３の位置にカード９０が存在することを検出する。
【００８９】
また、カード搬送路６８上をカード９０が通過し、レバー９３が図１７の実線で示す初期位置に復帰すると当該レバー９３の後端９３ａがセンサー９５から退避するので第２の検出手段９１はＯＦＦ信号を送出し、当該カード９０がカード検出レバー９３の位置に無いことが検出される。
【００９０】
次に、上述した二重搬送防止手段８０の他方を構成するシックネススクリュー８２を詳述する。
【００９１】
このシックネススクリュー８２は図１３で示すようにカード搬送路の幅方向に沿い所定の間隔（搬送されるカード幅よりも狭い間隔）を設け一対配設されている。またこのシックネススクリュー８２は図１３のＦＦ拡大概念断面図で示す図１８のように、先端が三角錘形状をしたネジにより形成され、その先端８２ａからカード搬送路６８の下面６８ａまでの距離は分離搬送されるカード９０の板厚の略１．５倍程度に設定されている。
【００９２】
したがって、上述したシックネススクリュー８２によると、カード姿勢矯正ローラ８１によって一点鎖線で示すように複数枚のカードの搬送（ダブルフィード）が阻止できない場合であっても、カード搬送路６８はシックネススクリュー８２によりその上下幅を搬送されるカード９０の板厚の略１．５倍程度に制限されているので、シックネススクリュー８２を通過するカードは一枚しか通過し得ず、このためより確実なカードの分離搬送が可能である。
【００９３】
なお、カード搬送路６８の上下幅はカードの板厚に応じ、シックネススクリュー８２を操作することにより簡単に調整することができる。
【００９４】
次に、上述したカード払出し装置１のカード払出し手順を説明する。
【００９５】
図示せぬカード払出装置１の制御装置に対しカード払出し信号が送出されると、制御装置は電源を投入し、その後、時間Ｔ１経過すると図１６で示すスライド駆動手段２６の第１の駆動モータ４０とカード排出手段２２の第２の駆動モータ６０とに駆動信号が送出され同時にその駆動を開始させる。これによりスライドホルダ３１は往復スライダリンク機構３３の往復スライダ３４により図１６の初期位置から図面の左方向（往路方向）へ移動する。またカード排出手段２２の一対の駆動ローラ６３も歯車伝達機構６１を介し矢印Ｇで示すように一定回転速度で反時計方向へ回転する。
【００９６】
スライドホルダ３１が図１６の初期位置から図面の左方向へ移動すると、当初はスライドホルダ３１は図１３で示すようにその後端に形成された一対のガイド突起３１ｃが一対のスライド姿勢切替ガイド５０、５１上に案内されつつ移動する。なお図１９は一対のガイド突起３１ｃが一対のスライド姿勢切替ガイド５０、５１上に案内されつつ移動する状態を示す概念断面図である。
【００９７】
このためスライド本体３０はカードと平行な姿勢、言い換えれば図１５の一点鎖線で示す水平姿勢を維持しつつ図１３の左側（矢印Ａ方向）へ移動することとなる。
【００９８】
このように、スライド本体３０が一対のスライド姿勢切替ガイド５０、５１を介し水平姿勢を維持しつつ矢印Ａ方向（往路方向）へ移動すると、図２０で示すように、まずシャッター手段７０のリンク後端７３ｂとスライドホルダ３１後端との当接が解除されるので、リンク７３は付勢手段であるコイルスプリング７４の付勢力により、図面の左側へ移動し同時にシャッタレバー７１を軸７１ａを中心に反時計方向に回転させてカード搬送路６８を拡開する。
【００９９】
次に、スライド本体３０の上面に形成された段差部３０ｂがカード収容部２内に積載収容された複数枚のカード１９のうちその最下面に位置する一枚のカード９０後端と当接する。なおこの時点で、往復スライダ３４が図１６で示す初期位置にあるか否かを検出する図示せぬ前記第１の検出手段の検出信号がＯＦＦからＯＮに変化する。
【０１００】
その後、スライド駆動手段２６の第１の駆動モータ４０がその回転を続けると、図２１で示すように、スライド本体３０の段差部３０ｂと当接する一枚のカード９０はカード収容部２の下面から水平に押し出され、カード搬送路６８を介しカード払出口６６側へ移動する。
【０１０１】
このように、カード９０が水平に押し出され、カード搬送路６８を介しカード払出口６６側へ移動すると、第２の検出手段９１のカード検出レバー９３を反時計方向へ回転させて当該第２の検出手段９１の検出信号をＯＦＦからＯＮに変化させる。
【０１０２】
この第２の検出手段９１による検出信号がＯＮに変化すると、図示せぬ制御装置は、そのＯＮ信号に基づきその後、時間Ｔ２だけスライド駆動手段２６の第１の駆動モータ４０を駆動させる。
【０１０３】
すなわち駆動モータ４０がその後時間Ｔ２だけ駆動されると、その間にスライドホルダ３１に搭載されたスライド本体３０は図２１の位置から、さらに一対のスライド姿勢切替ガイド５０、５１を介し水平姿勢を維持しつつさらに矢印Ａ方向（往路方向）へ所定距離（往路走行から復路走行への走行動作切り替え点にまで）移動して停止するが、スライドホルダ３１は矢印Ａ方向へさらに移動する間に図２２で示すようにスライドホルダ３１のガイド突起３１ｃ（図１３）が一対のスライド姿勢切替ガイド５０、５１から離間するので、これによりスライドホルダ３１はコイルバネ３５の付勢力により、軸３２を中心に迅速に時計方向へ回転し、同時にスライド本体３０を軸３２を中心に所定回転角度傾斜させて、カード９０から離間した傾斜姿勢に位置決めされる。
【０１０４】
このように、スライド本体３０が所定回転角度傾斜した傾斜姿勢に位置決めされると、スライド本体３０の段差部３０ｂとカード９０との当接が解除されてスライド本体３０によるカード９０の押出し搬送は解除され、同時に他のカードとの摺接も解除されるが、その間にカード９０の先端９０ａがカード排出手段２２の一対の駆動ローラ６３と従動ローラ６４間に把持されるので、この駆動ローラ６３の搬送力によりカード９０はさらにカード払出口６６側に搬送される。
【０１０５】
このように、駆動ローラ６３の搬送力によりカード９０が図２２で示す位置からさらにカード払出口６６側へ排出されると、当該カード９０は図２３で示すように後端が第２の検出手段９１のカード検出レバー９３上を通過するので、当該カード検出レバー９３が初期位置に復帰し第２の検出手段９１の検出信号をＯＮからＯＦＦに変化させる。
【０１０６】
このように、第２の検出手段９１の検出信号がＯＮからＯＦＦに変化すると、図示せぬ制御装置はこのＯＦＦ信号に基づき再びスライド駆動手段２６の第１の駆動モータ４０の駆動を開始し、またこのＯＦＦ信号に基づき時間Ｔ３経過後にカード排出手段２２の第２の駆動モータ６０の駆動を停止するが、その間に図２３で示すように、一枚のカード９０を一対の駆動ローラ６３と従動ローラ６４間から落下させて排出する。
【０１０７】
一方、スライド駆動手段２６の第１の駆動モータ４０の駆動が再び開始されると、図２４で示すように往復スライダ３４は復路走行を開始し図面の右方向、即ち矢印Ｄ方向（復路方向）へ移動する。
【０１０８】
その際、スライドホルダ３１に搭載されたスライド本体３０は傾斜姿勢を維持したまま移動するので、スライドホルダ３１の後端３１ｂに形成された一対のガイド突起３１ｃ（図１３）と一対のスライド姿勢切替ガイド５０、５１とは係合せず、傾斜姿勢を維持しつつスライドホルダ３１は一対のスライド姿勢切替ガイド５０、５１の下側を通過する。
【０１０９】
そして、スライドホルダ３１の後端３１ｂが図２５で示す傾斜壁５２の始端に至ると、その傾斜面５２ａによりスライドホルダ３１はコイルスプリング３５の付勢力に抗して軸３２を中心に徐々に反時計方向へ回転し、その姿勢を徐々に水平姿勢に復帰させる。
【０１１０】
なおスライドホルダ３１が一対のスライド姿勢切替ガイド５０、５１の下側を通過する際、図２５のＨＨ概念断面で示す図２６のように、スライドホルダ３１のガイド突起３１ｃは一対のスライド姿勢切替ガイド５０、５１の下面から当該一対のスライド姿勢切替ガイド５０、５１と当接して、当該一対のスライド姿勢切替ガイド５０、５１のうち一方のスライド姿勢切替ガイド５０を軸５０ａを中心に反時計方向へ、また他方のスライド姿勢切替ガイド５１を軸５１ａを中心に時計方向へ回転させて、スライドホルダ３１が通過する復路を解放する。
【０１１１】
その後、スライドホルダ３１が図１６で示す初期位置に復帰すると同時に、一対のスライド姿勢切替ガイド５０、５１も水平な初期位置に復帰する。
【０１１２】
スライドホルダ３１が図１６で示すカードと平行な初期位置の水平姿勢に復帰すると、その際、シャッター手段７０のリンク後端７３ｂとスライドホルダ３１とが当接し、その当接の際の付勢力によりリンク７３を図面の右側へ移動させ、これによりシャッタレバー７１を軸７１ａを中心に時計方向へ所定の角度回転させてカード搬送路６８を再び閉塞する。
【０１１３】
なお、シャッター手段７０のシャッタレバー７１が軸７１ａを中心に時計方向へ回転してカード搬送路６８を再び閉塞する際に、そのシャッタレバー７１の押圧力により図１８の一点鎖線で示す二重搬送された複数枚のカード１００が実線で示すカード収容部２の初期位置に再び位置決めされる。
【０１１４】
従って、このシャッター手段７０によると、二重搬送された複数枚のカード１００がカード収容部２内の初期位置に再び正確に位置決めされるから、カード収容部２の最下面に位置する次に払出される一枚のカード９０とスライド２５との位置関係が適正となり、このためカード収容部２の最下面に位置する次に払出す一枚のカード９０とスライド２５との当接が確実で、このためカード搬送ミスが可及的に防止されることとなる。
【０１１５】
またカード収容部２から払い出されたカードが何等かの単純な要因、例えばスライド本体３０の段差部３０ｂとカード後端との当り角度が悪くて、払い出すべきカードがカード収容部２のカード排出口２００（図１７）直後で詰まった場合は、その詰まったカードをシャッタレバー７１の押圧力により図１８の実線で示すカード収容部２の初期位置に再び位置決めすることができるから、同一カードについて再度スライド本体３０の段差部３０ｂによる払いだし操作、即ちリトライが可能となり、今度はスライド本体３０の段差部３０ｂとカード後端との当り角度を良好にして一度詰まったカードをスムーズに払い出すこともできることとなる。
【０１１６】
なお、スライドホルダ３１が次のカードを払い出すべく図１６に示す初期位置に復帰すると、往復スライダ３４が図１６に示す初期位置にあるか否かを検出する図示せぬ前記第１の検出手段の検出信号がＯＮからＯＦＦに変化するので、その検出信号に基づき、図示せぬ制御装置はスライド駆動手段２６の第１の駆動モータ４０の駆動を停止させ、さらに制御装置は第１の検出手段の検出信号がＯＮからＯＦＦに変化してから時間Ｔ４後、図示せぬ電源の投入を停止する。
【０１１７】
そして以降は、図示せぬ制御装置に対するカード払出信号に応じて上述した動作が繰り返されることとなる。
【０１１８】
なお、図２７は上述したカード払出手順を示すタイムチャートである。
【０１１９】
【発明の効果】
以上説明したように、この発明のカード払出し装置では、カード収容部に形成されたカード排出口の上下幅をカードの板厚２枚分以上に大きく設定し、かつこのカード排出口から排出されたカードをカード姿勢矯正ローラにより矯正した後、上下幅規制部材を通過させるとともに、カード排出口から排出された多数枚のカードをシャッター手段によりカード収容部内へ押し戻すようにしたから、カード収容部内に配設されるカード押さえバネの付勢力（バネ定数）を小さく設定しても、上下幅の大きいカード排出口から変形カードを含めカードをスムーズにカード搬送路へ排出させ、かつこのカード排出口から排出された変形カードをカード姿勢矯正ローラにより矯正して上下幅規制部材を通過させるので、変形カードを含めカードを確実に一枚ずつ分離搬送させることができる。
【０１２０】
またカード収容部内に配設されるカード押さえバネの付勢力（バネ定数）を小さく設定することができるから、カード収容部内に積載収容されたカードに対する押圧力が減少し、このため各カード間に作用する摩擦力を減少させてカード払い出しの際にカードに対し傷等の損傷を与えることを可及的に防止することができるとともに、カードを分離搬送させる際のスライドの走行負荷も小さくなってカードを迅速に払い出すこともできる。
【０１２１】
さらに、スライドを介し上下幅の大きいカード排出口からカードを排出するので、多数枚のカードがカード排出口から一時に排出される（いわゆるダブルフィード）虞もあるが、そのような場合でも押し出された多数枚のカードはシャッター手段によりカード収容部内の初期位置へ再び押し戻されるので、次に払出す一枚のカードとスライドとの当接位置関係が適正となって、次に払い出すカードをスライドにより確実に押し出して払い出し、これによりダブルフィードに起因するカード搬送ミスを可及的に防止することもできる。さらに、この発明のカード払出し装置のシャッター手段はカード排出口近傍で一旦詰まったカード（ジャムカード）も再びカード収容部内へ押し戻し、その後、このジャムカードに対し再び払い出し動作を加えることもできるから、ジャムカードに対する障害復旧効果の高いカード払出し装置を提供することもできる。
【図面の簡単な説明】
【図１】図１はこの発明に関わるカード払出装置の側面図。
【図２】図２はこの発明に関わるカード払出装置の正面図。
【図３】図３はカード収容部の側面図。
【図４】図４はカード収容部の側面図。
【図５】図５はカード収容部の分解側面図。
【図６】図６はカード収容部の分解側面図。
【図７】図７はカード収容部の側面図。
【図８】図８はカード収容部の側面図。
【図９】図９はカード収容部の拡大断面図。
【図１０】図１０はカード収容部の拡大断面図。
【図１１】図１１はカード収容部の拡大断面図。
【図１２】図１２はカード収容部の拡大断面図。
【図１３】図１３はカード払出部の上面図。
【図１４】図１４はスライドの拡大上面図
【図１５】図１５は図１４のＢＢ断面図
【図１６】図１６は図１３のＣＣ概念断面図。
【図１７】図１７は図１３のＥＥ概念断面図。
【図１８】図１８は図１３のＦＦ概念断面図。
【図１９】図１９はスライド姿勢変更手段の概念断面図。
【図２０】図２０はカード払出部の作用を示す概念断面図。
【図２１】図２１はカード払出部の作用を示す概念断面図。
【図２２】図２２はカード払出部の作用を示す概念断面図。
【図２３】図２３はカード払出部の作用を示す概念断面図。
【図２４】図２４はカード払出部の作用を示す概念断面図。
【図２５】図２５はカード払出部の作用を示す概念断面図。
【図２６】図２６は図２５のＨＨ概念断面図である。
【図２７】図２７はカード払出しのタイムチャートである。
【符号の説明】
１…カード払出し装置
２…カード収容部
３…カード払出部
２１…カード分離搬送手段
２５…スライド
６６…カード払出口
６８…カード搬送路
７０…シャッター手段
７１…Ｌ字形状のレバー
７２…リンク手段
７４、８６…付勢手段（コイルスプリング）
８１…カード姿勢矯正ローラ
８２…上下幅規制部材（シックネススクリュー）
９０…カード
２００…カード排出口
【図１】
0003688116.tif 000002
【図２】
0003688116.tif 000003
【図３】
0003688116.tif 000004
【図４】
0003688116.tif 000005
【図５】
0003688116.tif 000006
【図６】
0003688116.tif 000007
【図７】
0003688116.tif 000008
【図８】
0003688116.tif 000009
【図９】
0003688116.tif 000010
【図１０】
0003688116.tif 000011
【図１１】
0003688116.tif 000012
【図１２】
0003688116.tif 000013
【図１３】
0003688116.tif 000014
【図１４】
0003688116.tif 000015
【図１５】
0003688116.tif 000016
【図１６】
0003688116.tif 000017
【図１７】
0003688116.tif 000018
【図１８】
0003688116.tif 000019
【図１９】
0003688116.tif 000020
【図２０】
0003688116.tif 000021
【図２１】
0003688116.tif 000022
【図２２】
0003688116.tif 000023
【図２３】
0003688116.tif 000024
【図２４】
0003688116.tif 000025
【図２５】
0003688116.tif 000026
【図２６】
0003688116.tif 000027
【図２７】
0003688116.tif 000028